(57)【要約】  本発明はインテリジェントサービスプラットフォームおよび方法を開示し、前記インテリジェントサービスプラットフォームはテーマタイプ決定モジュール、マッチングモジュール、テーマタイプ識別モジュール、アプリケーション識別モジュール、アプリケーションインポートモジュール、およびプログラム起動モジュールを備え、ユーザの第１の操作指令を受け取った後、テーマタイプ識別モジュールは第１の操作指令に対応するテーマタイプを識別し、かつこのテーマタイプにマッチングする各アプリケーションを表示画面に表示し、ユーザの第２の操作指令を受け取った後、アプリケーション識別モジュールは第２の操作指令に対応するアプリケーションを識別し、アプリケーションインポートモジュールを介して対応するアプリケーションをインポートし、かつプログラム起動モジュールを介してこのアプリケーションの動作を起動し、これによって、このインテリジェントサービス方法は従来の種類が多様であり、かつ機能が類似しているアプリケーションを分類し、ユーザアプリケーションの利用インターフェイスをより簡潔にし、ユーザのエクスペリエンスを改善する。【選択図】図１
2020532781.tif 000002
【特許請求の範囲】
【請求項１】
インテリジェントサービスプラットフォームであって、テーマタイプ決定モジュール、マッチングモジュール、テーマタイプ識別モジュール、アプリケーション識別モジュール、アプリケーションインポートモジュール、および、アプリケーション起動モジュールを備え、
前記テーマタイプ決定モジュールは、収集された異なるユーザグループのビッグデータに基づいて第１のテーマタイプを決定し、
前記マッチングモジュールは、前記第１のテーマタイプに基づいて各テーマタイプに対応する各アプリケーションをマッチングし、各テーマタイプに対応する各アプリケーションを表示画面に表示し、
ユーザの第１の操作指令を受け取った後、前記テーマタイプ識別モジュールは、前記第１の操作指令に対応するテーマタイプを識別し、かつ前記テーマタイプにマッチングする各アプリケーションを表示画面に表示し、
ユーザの第２の操作指令を受け取った後、アプリケーション識別モジュールは、前記第２の操作指令に対応するアプリケーションを識別し、前記アプリケーションインポートモジュールを介して対応するアプリケーションをインポートし、かつ前記アプリケーション起動モジュールを介して前記アプリケーションの動作を起動することを特徴とするインテリジェントサービスプラットフォーム。
【請求項２】
前記第１のテーマタイプは、
インテリジェントホームコントロールセンター、交通機関コントロールセンター、ローカルまたはコミュニティ、ニュース、ビデオ、オーディオ、検索、社交、ショッピング、飲食、旅行、エンターテイメント、健康、教育、および、オフィスのうちの少なくとも１つを含むことを特徴とする請求項１に記載のプラットフォーム。
【請求項３】
前記アプリケーションは、
サードパーティアプリケーション、および、ユーザが自ら開発したアプリケーションのうちの少なくとも１つを含むことを特徴とする請求項１に記載のプラットフォーム。
【請求項４】
前記テーマタイプ決定モジュールはさらに、ユーザ選好情報に基づいて対応する第２のテーマタイプを決定するために用いられ、
前記ユーザ選好情報は、
現在のユーザの使用頻度が対応するプリセット頻度よりも高いサードパーティのアプリケーション情報および／自主開発のアプリケーション、前記サードパーティアプリケーションに対応するテーマタイプ情報、前記自主開発アプリケーションに対応するテーマタイプ情報、現在のユーザの関心のある製品情報、現在のユーザの関心のある製品のブランド情報、現在のユーザの関心のある製品のストア情報、現在のユーザの消費行為情報、現在のユーザの消費頻度情報のうちの少なくとも一つを含むことを特徴とする請求項３に記載のプラットフォーム。
【請求項５】
前記プラットフォームは、インテリジェント家電端末管理モジュールをさらに備え、
前記インテリジェント家電端末管理モジュールは、収集された制御対象のインテリジェント家電端末の動作データを管理し、前記動作データは、現在制御されているインテリジェント家電端末が通常の動作状態にあるかどうか、現在制御されているインテリジェント家電端末の消費電力データ、現在制御されているインテリジェント家電端末の故障タイプ、現在制御されているインテリジェント家電端末の起動のモードデータ、および現在制御されているインテリジェント家電端末の自動起動の時刻データ、現在制御されているインテリジェント家電端末の自動起動の時間データ、プリセット時間内に現在制御されているインテリジェント家電端末の自動起動の回数データ、現在制御されているインテリジェント家電端末の自動給餌量のうちの少なくとも一つを含むことを特徴とする請求項１に記載のプラットフォーム。
【請求項６】
前記インテリジェント家電端末管理モジュールによって管理されるインテリジェント家電端末は、
エアコン、ロボット、ドアロック、冷蔵庫、洗濯機、ペット自動給餌器、ペット自動給水器、オーブン、および、インテリジェントスピーカーのうちの少なくとも一つを含むことを特徴とする請求項５に記載のプラットフォーム。
【請求項７】
インテリジェントサービス方法であって、
収集された異なるユーザグループのビッグデータに基づいて第１のテーマタイプを決定することと、
前記第１のテーマタイプに基づいて各テーマタイプに対応する各アプリケーションをマッチングし、各テーマタイプに対応する各アプリケーションを表示画面に表示することと、
ユーザの第１の操作指令を受け取った後、前記第１の操作指令に対応するテーマタイプを識別し、かつ前記テーマタイプにマッチングする各アプリケーションを前記表示画面に表示することと、および、
ユーザの第２の操作指令を受け取った後、前記第２の操作指令に対応するアプリケーションを識別し、対応するアプリケーションをインポートし、かつ前記アプリケーションの動作を起動することとを含むことを特徴とするインテリジェントサービス方法。
【請求項８】
インテリジェントサービスプラットフォームを起動する方式は、
前記インテリジェントサービスプラットフォームの名称に関するキーワードおよび／または前記インテリジェントサービスプラットフォームの名称の全名称を入力すること、
前記表示画面に表示された前記インテリジェントサービスプラットフォームのＡＰＰアイコンにタッチすること、および、
前記インテリジェントサービスプラットフォームを音声で起動することのうちの少なくとも一つを含むことを特徴とする請求項７に記載の方法。
【請求項９】
前記方法はさらに、
満足するプリセット条件に基づいて、それに一致する検索方法に従って対応するコンテンツを検索し、かつ前記コンテンツを指定されたユーザにプッシュ配信することを含み、プッシュ配信のコンテンツは、少なくとも現在のコラムに関連付けられた下位コラムのコラム名称、プッシュ配信された旅行計画、プッシュ配信された漫才俳優のオーディオおよびビデオ作品、プッシュ配信された俳優のテレビ作品または映画作品、現在のユーザへのプッシュ配信の使用頻度が対応するプリセット頻度よりも高いサードパーティアプリケーション、現在のユーザへのプッシュ配信の使用頻度が対応するプリセット頻度よりも高いユーザ自主開発のアプリケーション、現在のユーザへのプッシュ配信の使用頻度が対応するプリセット頻度よりも高い商品ブランド、現在のユーザへのプッシュ配信の使用頻度が対応するプリセット頻度よりも高いレストラン、現在のユーザへのプッシュ配信の使用頻度が対応するプリセット頻度よりも高い劇場を含み、
および／または、
前記検索方法は、
クロス検索方式に従って、現在のコラムに関連付けられた下位のコラムのコラム名称を検索すること、
ファジー検索方式に従って、検索キーワードに関連付けられた少なくとも１つのプッシュ配信コンテンツを検索すること、および、
現在のユーザの消費頻度情報、現在のユーザの消費行為情報、および現在のユーザ履歴検索データのうちの１つまたは複数に基づいて、対応する少なくとも１つのプッシュ配信コンテンツを検索することの少なくとも一つを含むことを特徴とする請求項７に記載の方法。
【請求項１０】
前記方法はさらに、
スマートフォンにおける前記インテリジェントサービスプラットフォームＡＰＰの構成情報を取得し、前記インテリジェントサービスプラットフォームＡＰＰがインストールされた端末装置に前記構成情報を同期的にプッシュ配信することを含み、前記端末装置は、少なくとも別のスマートフォン、コンピューター、テレビ、自動車端末装置のうちの１つまたは複数を含むことを特徴とする請求項７に記載の方法。
【発明の詳細な説明】
【技術分野】
【０００１】
本発明は、インテリジェントアプリケーション技術の分野に関し、特に、インテリジェントサービスプラットフォームおよび方法に関する。
【背景技術】
【０００２】
インターネットの応用およびモノのインターネット技術の開発に伴い、従来のアプリケーションは種類が非常に多様であり、物質、文化的消費および社会公共サービスのほぼすべての方面をカバーできるようになっている。しかも、コンピュータープログラミング技術の普及、製造業、サービス業、文化産業などの企業のさらなる小型化と投資の参入障壁のさらなる低下に伴い、通信端末として使用できる任意の物体に対して誰でもプログラミング可能であり、かつ物質的および精神的ないかなる消費サービスを提供することができる。つまり、誰でもアプリケーションを作成し、物質的または文化的な製品のサプライヤになることができる。
【０００３】
コンピュータ、スマートフォン、デジタルテレビ、ウェアラブルデバイス、玩具、ロボットなどの通信端末および車や船などの各種の交通機関の普及と価格のさらなる低下、「影の如き計画」などの表示技術の突破と普及に伴い、特にインターネット技術の発展、及び集積技術の発展に伴い、理論上、すべての物体は通信端末とすることが可能であり、人間はいつでも、どこでも、いかなる方式でも手軽に通信端末を使用することができ、特にクラウドコンピューティング、ビッグデータ、クラウドストレージ、ブロックチェーン、モノのインターネットなどの技術の成熟に伴い、人々はあらゆるニーズのためにコンピューティング技術の協力を非常に容易に求めることができる。
【０００４】
従来のアプリケーションは種類が多様であり、かつ機能が類似しているため、ユーザアプリケーションの利用インターフェイスは乱雑になり、管理しにくく、ユーザのエクスペリエンスは低い。特に、学習コンテンツの類似する一部の有料アプリケーションに対して、ユーザの管理がより困難になる。種類が多様であり、かつ機能が類似しているアプリケーションを如何に管理して、ユーザアプリケーションの利用インターフェイスをより簡潔にするかということは、解決すべき技術的課題である。
【発明の概要】
【発明が解決しようとする課題】
【０００５】
本発明の目的は、種類が多様であり、かつ機能が類似しているアプリケーションを効率的に管理することができず、ユーザアプリケーションの利用インターフェースが乱雑でありかつ無秩序になってしまうという従来の問題を解決するためのインテリジェントサービスプラットフォーム及び方法を提供することである。
【課題を解決するための手段】
【０００６】
以上の目的を達成するために、本発明は、テーマタイプ決定モジュール、マッチングモジュール、テーマタイプ識別モジュール、アプリケーション識別モジュール、アプリケーションインポートモジュール、およびアプリケーション起動モジュールを備えるインテリジェントサービスプラットフォームを提供し、前記テーマタイプ決定モジュールは、収集された異なるユーザグループのビッグデータに基づいて第１のテーマタイプを決定し、前記マッチングモジュールは、第１のテーマタイプに基づいて各テーマタイプに対応する各アプリケーションをマッチングし、各テーマタイプに対応する各アプリケーションを表示画面に表示し、ユーザの第１の操作指令を受け取った後、テーマタイプ識別モジュールは、前記第１の操作指令に対応するテーマタイプを識別し、かつこのテーマタイプにマッチングする各アプリケーションを表示画面に表示し、ユーザの第２の操作指令を受け取った後、アプリケーション識別モジュールは、前記第２の操作指令に対応するアプリケーションを識別し、前記アプリケーションインポートモジュールを介して対応するアプリケーションをインポートし、かつ前記アプリケーション起動モジュールを介してこのアプリケーションの動作を起動する。
【０００７】
任意選択的に、前記第１のテーマタイプは、インテリジェントホームコントロールセンター、交通機関コントロールセンター、ローカルまたはコミュニティ、ニュース、ビデオ、オーディオ、検索、社交、ショッピング、飲食、旅行、エンターテイメント、健康、教育、オフィスのうちの少なくとも１つを含む。
【０００８】
任意選択的に、前記アプリケーションは、サードパーティアプリケーションおよびユーザが自ら開発したアプリケーションのうちの少なくとも１つを含む。
【０００９】
任意選択的に、前記テーマタイプ決定モジュールはさらに、ユーザ選好情報に基づいて対応する第２のテーマタイプを決定するために用いられ、前記ユーザ選好情報は、現在のユーザの使用頻度が対応するプリセット頻度よりも高いサードパーティのアプリケーション情報および／自主開発アプリケーション、このサードパーティアプリケーションに対応するテーマタイプ情報、この自主開発アプリケーションに対応するテーマタイプ情報、現在のユーザの関心のある製品情報、現在のユーザの関心のある製品のブランド情報、現在のユーザの関心のある製品のストア情報、現在のユーザの消費行為情報、現在のユーザの消費頻度情報のうちの少なくとも一つを含む。
【００１０】
任意選択的に、前記プラットフォームは、インテリジェント家電端末管理モジュールをさらに備え、前記インテリジェント家電端末管理モジュールは、収集された制御対象のインテリジェント家電端末の動作データを管理し、前記動作データは、現在制御されているインテリジェント家電端末が通常の動作状態にあるかどうか、現在制御されているインテリジェント家電端末の消費電力データ、現在制御されているインテリジェント家電端末の故障タイプ、現在制御されているインテリジェント家電端末の起動のモードデータ、および現在制御されているインテリジェント家電端末の自動起動の時刻データ、現在制御されているインテリジェント家電端末の自動起動の時間データ、プリセット時間内に現在制御されているインテリジェント家電端末の自動起動の回数データ、現在制御されているインテリジェント家電端末の自動給餌量のうちの少なくとも一つを含む。
【００１１】
任意選択的に、前記インテリジェント家電端末管理モジュールによって管理されるインテリジェント家電端末は、エアコン、ロボット、ドアロック、冷蔵庫、洗濯機、ペット自動給餌器、ペット自動給水器、オーブン、インテリジェントスピーカーのうちの少なくとも一つを含む。
【００１２】
上記システムに一致して、本発明の別の態様は、インテリジェントサービス方法を提供し、この方法は、収集された異なるユーザグループのビッグデータに基づいて第１のテーマタイプを決定することと、前記第１のテーマタイプに基づいて各テーマタイプに対応する各アプリケーションをマッチングし、各テーマタイプに対応する各アプリケーションを表示画面に表示することと、ユーザの第１の操作指令を受け取った後、前記第１の操作指令に対応するテーマタイプを識別し、かつこのテーマタイプにマッチングする各アプリケーションを前記表示画面に表示することと、ユーザの第２の操作指令を受け取った後、前記第２の操作指令に対応するアプリケーションを識別し、対応するアプリケーションをインポートし、かつこのアプリケーションの動作を起動することとを含む。
【００１３】
任意選択的に、インテリジェントサービスプラットフォームを起動する方式は、このインテリジェントサービスプラットフォームの名称に関するキーワードおよび／またはこのインテリジェントサービスプラットフォームの名称の全名称を入力すること、前記表示画面に表示されたこのインテリジェントサービスプラットフォームのＡＰＰアイコンにタッチすること、このインテリジェントサービスプラットフォームを音声で起動することのうちの少なくとも一つを含む。
【００１４】
任意選択的に、前記方法はさらに、満足するプリセット条件に基づいて、それに一致する検索方法に従って対応するコンテンツを検索し、かつこのコンテンツを指定されたユーザにプッシュ配信し、プッシュ配信のコンテンツは、少なくとも現在のコラムに関連付けられた下位コラムのコラム名称、プッシュ配信された旅行計画、プッシュ配信された漫才俳優のオーディオおよびビデオ作品、プッシュ配信された俳優のテレビ作品または映画作品、現在のユーザへのプッシュ配信の使用頻度が対応するプリセット頻度よりも高いサードパーティアプリケーション、現在のユーザへのプッシュ配信の使用頻度が対応するプリセット頻度よりも高いユーザ自主開発アプリケーション、現在のユーザへのプッシュ配信の使用頻度が対応するプリセット頻度よりも高い商品ブランド、現在のユーザへのプッシュ配信の使用頻度が対応するプリセット頻度よりも高いレストラン、現在のユーザへのプッシュ配信の使用頻度が対応するプリセット頻度よりも高い劇場を含み、および／または、前記検索方法は、クロス検索方式に従って、現在のコラムに関連付けられた下位のコラムのコラム名称を検索すること、ファジー検索方式に従って、検索キーワードに関連付けられた少なくとも１つのプッシュ配信コンテンツを検索すること、現在のユーザの消費頻度情報、現在のユーザの消費行為情報、および現在のユーザ履歴検索データのうちの１つまたは複数に基づいて、対応する少なくとも１つのプッシュ配信コンテンツを検索することの少なくとも一つを含む。
【００１５】
任意選択的に、前記方法はさらに、
スマートフォンにおけるこのインテリジェントサービスプラットフォームＡＰＰの構成情報を取得し、このインテリジェントサービスプラットフォームＡＰＰがインストールされた端末装置にこの構成情報を同期的にプッシュ配信することを含み、前記端末装置は、少なくとも別のスマートフォン、コンピューター、テレビ、自動車端末装置のうちの１つまたは複数を含む。
【００１６】
本発明によって、インテリジェントサービスプラットフォームはテーマタイプ決定モジュール、マッチングモジュール、テーマタイプ識別モジュール、アプリケーション識別モジュール、アプリケーションインポートモジュール、およびアプリケーション起動モジュールを備え、ユーザの第１の操作指令を受け取った後、テーマタイプ識別モジュールは、第１の操作指令に対応するテーマタイプを識別し、かつこのテーマタイプにマッチングする各アプリケーションを表示画面に表示し、ユーザの第２の操作指令を受け取った後、アプリケーション識別モジュールは、第２の操作指令に対応するアプリケーションを識別し、アプリケーションインポートモジュールを介して対応するアプリケーションをインポートし、かつアプリケーション起動モジュールを介してこのアプリケーションの動作を起動し、したがって、このインテリジェントサービスプラットフォームは従来の種類が多様であり、かつ機能が類似しているアプリケーションを分類し、ユーザアプリケーションの利用インターフェイスをより簡潔にし、ユーザのエクスペリエンスを改善するという利点を有する。
【図面の簡単な説明】
【００１７】
【図１】本発明のインテリジェントサービスプラットフォームの実施例の構成の模式図である。
【図２】本発明のインテリジェントサービスプラットフォームの実施例の流れの模式図である。
【発明を実施するための形態】
【００１８】
以下の実施例は本発明を説明するためのものであるが、本発明の範囲を限定するものではない。
【実施例１】
【００１９】
本発明の実施例によれば、インテリジェントサービスプラットフォームを提供し、図１に示すように、本発明のインテリジェントサービスプラットフォームの一実施例の構成の模式図である。前記インテリジェントサービスプラットフォームは、テーマタイプ決定モジュール１０１、マッチングモジュール１０２、テーマタイプ識別モジュール１０３、アプリケーション識別モジュール１０４、アプリケーションインポートモジュール１０５、およびアプリケーション起動モジュール１０６を備え、
テーマタイプ決定モジュール１０１は、収集された異なるユーザグループのビッグデータに基づいて第１のテーマタイプを決定し、
マッチングモジュール１０２は、第１のテーマタイプに基づいて各テーマタイプに対応する各アプリケーションをマッチングし、各テーマタイプに対応する各アプリケーションを表示画面に表示し、
ユーザの第１の操作指令を受け取った後、テーマタイプ識別モジュール１０３は、前記第１の操作指令に対応するテーマタイプを識別し、かつこのテーマタイプにマッチングする各アプリケーションを表示画面に表示し、
ユーザの第２の操作指令を受け取った後、アプリケーション識別モジュール１０４は、第２の操作指令に対応するアプリケーションを識別し、アプリケーションインポートモジュール１０５を介して対応するアプリケーションをインポートし、かつアプリケーション起動モジュール１０６を介してこのアプリケーションの動作を起動し、これによって、このインテリジェントサービスプラットフォームは従来の種類が多様であり、かつ機能が類似しているアプリケーションを分類し、ユーザアプリケーションの利用インターフェイスをより簡潔にし、ユーザのエクスペリエンスを改善する。
【００２０】
代替的な例において、第１のテーマタイプは、インテリジェントホームコントロールセンター、交通機関コントロールセンター、ローカルまたはコミュニティ、ニュース、ビデオ、オーディオ、検索、社交、ショッピング、飲食、旅行、エンターテイメント、健康、教育、オフィスのうちの少なくとも１つを含む。この第１のテーマタイプは、収集された大量のユーザグループによって一般的に使用されるアプリケーションビッグデータに基づいて、多くのアプリケーションを分類することで得られたテーマタイプである。
【００２１】
代替的な例において、アプリケーションは、サードパーティアプリケーションとユーザが自ら開発したアプリケーションのうちの少なくとも１つを含む。これによって、ユーザが既存の機能を持つ成熟したアプリケーションを使用するだけでなく、ユーザが自分のニーズに合わせてアプリケーションを自ら開発して、ターゲットを絞って実際のニーズを満たすことも便利である。
【００２２】
代替的な例において、テーマタイプ決定モジュール１０１はさらに、ユーザ選好情報に基づいて対応する第２のテーマタイプを決定するために用いられ、前記ユーザ選好情報は、現在のユーザの使用頻度が対応するプリセット頻度よりも高いサードパーティのアプリケーション情報および／自主開発のアプリケーション、このサードパーティアプリケーションに対応するテーマタイプ情報、この自主開発アプリケーションに対応するテーマタイプ情報、現在のユーザの関心のある製品情報、現在のユーザの関心のある製品のブランド情報、現在のユーザの関心のある製品のストア情報、現在のユーザの消費行為情報、現在のユーザの消費頻度情報のうちの少なくとも一つを含み、これによって、このインテリジェントサービスプラットフォームは、大量のユーザグループによって統計されたビッグデータに基づいて、一般大衆に適するインテリジェントサービスプラットフォームを決定できるだけでなく、現在のユーザの選好情報に基づいて、ターゲットを絞って現在のユーザの選好を満たすインテリジェントサービスプラットフォームをカスタマイズすることもでき、したがって、この現在のユーザ向けにカスタマイズされたインテリジェントサービスプラットフォームは、ユーザのニーズにより好適であるだけでなく、ユーザアプリケーションの利用インターフェイスをより簡潔にすることもできる。
【００２３】
実際の応用では、現在のユーザはショッピングを好む場合、対応的に、端末装置の表示インターフェースにショッピングタイプのアプリケーション、たとえばトウ宝、京東、Ｖｉｐｓｈｏｐなどが強調表示される。現在のユーザが電子書籍を読むことを好む場合、対応的に、端末装置の表示インターフェースに電子書籍タイプのアプリケーション、たとえば、アマゾン（登録商標）のｋｉｎｄｌｅ（登録商標）、京東読書、掌上読書などが強調表示される。
【００２４】
代替的な例において、プラットフォームは、インテリジェント家電端末管理モジュールをさらに備え、インテリジェント家電端末管理モジュールは、収集された制御対象のインテリジェント家電端末の動作データを管理し、動作データは、現在制御されているインテリジェント家電端末が通常の動作状態にあるかどうか、現在制御されているインテリジェント家電端末の消費電力データ、現在制御されているインテリジェント家電端末の故障タイプ、現在制御されているインテリジェント家電端末の起動のモードデータ、および現在制御されているインテリジェント家電端末の自動起動の時刻データ、現在制御されているインテリジェント家電端末の自動起動の時間データ、プリセット時間内に現在制御されているインテリジェント家電端末の自動起動の回数データ、現在制御されているインテリジェント家電端末の自動給餌量のうちの少なくとも一つを含み、これによって、このインテリジェントサービスプラットフォームは、現在さらに多くなるインテリジェント家電端末をインテリジェントに制御することもできる。
【００２５】
実際の応用では、飼い主は、出張中の場合、インテリジェントフィーダーに取り付けられたビデオデバイスによって自分のペットを見ることができ、さらにインテリジェントフィーダーの特定の１日の給餌時刻と特定の１日の給餌量をリモートで制御することができる。
【００２６】
代替的な例において、インテリジェント家電端末管理モジュールによって管理されるインテリジェント家電端末は、エアコン、ロボット、ドアロック、冷蔵庫、洗濯機、ペット自動給餌器、ペット自動給水器、オーブン、インテリジェントスピーカーのうちの少なくとも一つを含み、これによって、このインテリジェントサービスプラットフォームが制御可能なインテリジェント家電が多様であり、従来の多くのインテリジェント家電端末アプリケーションへの効果的な管理を簡単化する。
【実施例２】
【００２７】
本発明の実施例によれば、インテリジェントサービスプラットフォームに対応するインテリジェントサービス方法を提供し、図２に示すように、本発明のインテリジェントサービス方法の一実施例の流れの模式図である。この方法は、少なくとも、
収集された異なるユーザグループのビッグデータに基づいて第１のテーマタイプを決定するというステップＳ２０１と、
第１のテーマタイプに基づいて各テーマタイプに対応する各アプリケーションをマッチングし、各テーマタイプに対応する各アプリケーションを表示画面に表示するというステップＳ２０２と、
ユーザの第１の操作指令を受け取った後、第１の操作指令に対応するテーマタイプを識別し、かつこのテーマタイプにマッチングする各アプリケーションを表示画面に表示するというステップＳ２０３と、
ユーザの第２の操作指令を受け取った後、第２の操作指令に対応するアプリケーションを識別し、対応するアプリケーションをインポートし、かつこのアプリケーションの動作を起動するというステップＳ２０４とを含む。これによって、このインテリジェントサービス方法は従来の種類が多様であり、かつ機能が類似しているアプリケーションを分類し、ユーザアプリケーションの利用インターフェイスをより簡潔にし、ユーザのエクスペリエンスを改善する。
【００２８】
代替的な例において、インテリジェントサービスプラットフォームを起動する方式は、
このインテリジェントサービスプラットフォームの名称に関するキーワードおよび／またはこのインテリジェントサービスプラットフォームの名称の全名称を入力すること、
表示画面に表示された、このインテリジェントサービスプラットフォームのＡＰＰ（Ａｐｐｌｉｃａｔｉｏｎ、アプリケーション、通常、携帯電話ソフトウェアを指す）アイコンにタッチすること、
このインテリジェントサービスプラットフォームを音声で起動することのうちの少なくとも一つを含み、これによって、上記のさまざまな方法のいずれかでこのインテリジェントサービスプラットフォームのアプリケーションを簡単に喚起し起動できる。
【００２９】
実際の応用では、入力、タッチ、音声などのいずれかで喚起した後、このアプリケーションにアクセスするか、直接二級インターフェイスにアクセスすることができる。
【００３０】
このアプリケーションにアクセスすると表示される二級インターフェイスには、「インテリジェントホームコントロールセンター」、「交通機関コントロールセンター」、「ローカルまたはコミュニティ」、「ニュース」、「ビデオ」、「オーディオ」、「検索」、「社交」、「ショッピング」、「飲食」、「旅行」、「エンターテイメント」、「健康」、「教育」、「オフィス」などのコラムが設置することができる。
【００３１】
現在のユーザが「インテリジェントホームコントロールセンター」にアクセスすることを選んだ場合、「エアコン」、「ロボット」、「ドアロック」、「冷蔵庫」などの設備のコントロールプログラムを表示することができ、
現在のユーザが「ショッピング」にアクセスすることを選んだ場合、「トウ宝」、「京東」、「アマゾン」、「蘇寧易購」など、すべてのショッピング「ＡＰＰ」を表示することができ、
現在のユーザが「旅行」にアクセスすることを選んだ場合、「携程」、「飛豚」、「エアビーアンドビー」、「滴滴出行」、「窮遊」などの旅行関連サイトが表示される。
【００３２】
実際の応用において、ユーザは三級インタフェースにアクセスすることを選ぶことができ、例えば、「ロボット」にアクセスすると、「看護ロボット」、「チャットロボット」、「監視ロボット」などの設備のコントロールプログラムを表示することができる。
別の例として、現在のユーザは「アマゾン」にアクセスすることを選んだ場合、「ホーム」、「カテゴリー」などのコンテンツを表示することができる。
【００３３】
ユーザは、個人の習慣、趣味などに応じて各級インターフェイスをカスタマイズすることもできる――各級インターフェイスにアクセスすると、デフォルトの常用コラムを表示し、リンクされたアプリケーションを推奨し、ユーザにより自らプログラムを開発し、任意のアプリケーションとリンクすることをサポートする。
【００３４】
なお、本発明の実施例によって提供されるインテリジェントサービス方法は、本発明の実施例に係るインテリジェントサービスプラットフォームを利用するアプリケーションプログラムであり、このアプリケーションはさまざまなバージョンがあり、たとえば、Ａｎｄｒｏｉｄバージョン、ＩＯＳ（Ａｐｐｌｅ社のモバイルオペレーティングシステム）バージョン、デスクトップ用のさまざまなＷｉｎｄｏｗｓバージョンがあり、このアプリケーションは市販のすべてのアプリケーションのバージョンがあり、以上の記載は、いくつかの一般的なバージョンを例示しているだけであり、ここでは説明を省く。これによって、このアプリケーションは、使用習慣が異なるユーザグループに合わせるように、さまざまなバージョンがある。
【００３５】
代替的な例において、前記方法はさらに、満足するプリセット条件に基づいて、それに一致する検索方法に従って対応するコンテンツを検索し、かつこのコンテンツを指定されたユーザにプッシュ配信することを含み、プッシュ配信のコンテンツは、少なくとも現在のコラムに関連付けられた下位コラムのコラム名称、プッシュ配信された旅行計画、プッシュ配信された漫才俳優のオーディオおよびビデオ作品、プッシュ配信された俳優のテレビ作品または映画作品、現在のユーザへのプッシュ配信の使用頻度が対応するプリセット頻度よりも高いサードパーティアプリケーション、現在のユーザへのプッシュ配信の使用頻度が対応するプリセット頻度よりも高いユーザ自主開発のアプリケーション、現在のユーザへのプッシュ配信の使用頻度が対応するプリセット頻度よりも高い商品ブランド、現在のユーザへのプッシュ配信の使用頻度が対応するプリセット頻度よりも高いレストラン、現在のユーザへのプッシュ配信の使用頻度が対応するプリセット頻度よりも高い劇場を含み、これによって、本発明の実施例により提供されるインテリジェントサービス方法は、より知能的であり、統計されたユーザグループの消費習慣、およびユーザの選好タイプに基づいて、ターゲットを絞って特定のユーザにユーザが好む可能性のあるコンテンツをプッシュ配信することができる。
【００３６】
代替的な例において、本発明の実施例により提供されるインテリジェントサービス方法に用いられる検索方法は以下の方法のうちの少なくとも一つを含む。
【００３７】
クロス検索方式に従って、現在のコラムに関連付けられた下位のコラムのコラム名称を検索する。実際の応用において、クロス検索をサポートする。「ローカル」にアクセスすると、「ニュース」、「ショッピング」、「旅行」、「健康」などの下位コラムを表示でき、「ニュース」にアクセスすると、「ローカル」、「教育」などの下位コラムを表示できる。
【００３８】
ファジー検索方式に従って、検索キーワードに関連付けられた少なくとも１つのプッシュ配信コンテンツを検索する。実際の応用において、ファジー入力、ファジー検索をサポートする。たとえば、テキスト、音声、または脳波などの形式で「蘭州ビーフラーメンを食べたい」または「蘭州ビーフラーメン」または「ビーフラーメン」を入力すると、「餓了麼」、「大衆点評」、「メイトゥアン」にアクセスでき、かつ「好評優先」、「人気優先」、「価格優先」などで、そのようなサービスを提供できるストアを表示する。また、たとえば、「漫才を聞きたい」を入力すると、「ヒマラヤ」、「ブログ」、「Ｙｏｕｋｕ」などのアプリケーションにアクセスでき、かつ侯宝林、馮鞏、郭徳綱などの人の特別ページにアクセスし、その代表的な作品または任意の作品を選択することができる。別の例として、「北海道に行きたい」を入力すると、「携程」、「飛豚」、「窮遊」などのＡＰＰにアクセスし、航空または航海で日本へ旅行する計画を提供することができる。
【００３９】
現在のユーザの消費頻度情報、現在のユーザの消費行為情報、および現在のユーザ履歴検索データのうちの１つまたは複数に基づき、対応する少なくとも１つのプッシュ配信コンテンツを検索することの少なくとも一つを含む。実際の応用では、インテリジェント検索をサポートし、使用回数が増えるにつれて、このアプリケーションはさらにパーソナライズされる。例えば、かつて閲覧した「ＡＰＰ」とか、かつて購入した商品のブランドとか、かつて行ったレストランや劇場などがあり、消費の頻度と行為に応じて、検索時に結果を優先的に提供し、かつて使用された検索指令は、使用頻度などに応じて優先的に表示される。
【００４０】
代替的な例において、前記方法はさらに、スマートフォンにおけるこのインテリジェントサービスプラットフォームＡＰＰの構成情報を取得し、このインテリジェントサービスプラットフォームＡＰＰがインストールされた端末装置に構成情報をプッシュ配信し、端末装置は、少なくとも別のスマートフォン、コンピュータ、テレビ、および自動車端末装置のうちの１つまたは複数を含む。これによって、同じユーザの各デバイスの設定を共有できる。たとえば、スマートフォン内の各設定は、コンピューター、テレビ、自動車などの端末装置と同期を保持する。
【００４１】
上記で一般的な説明および特定の実施形態を用いて本発明を詳細に説明したが、本発明に基づいていくつかの修正または改良を行うことができることは当業者には明らかなことである。したがって、本発明の精神から逸脱することなく行われるそれらの修正または改良は、いずれも本発明の保護範囲内に含むものである。
【符号の説明】
【００４２】
１０１  テーマタイプ決定モジュール
１０２  マッチングモジュール
１０３  テーマタイプ識別モジュール
１０４  アプリケーション識別モジュール
１０５  アプリケーションインポートモジュール
１０６  アプリケーション起動モジュール
【図１】
2020532781.tif 000003
【図２】
2020532781.tif 000004
【国際調査報告】
2020532781.tif 000005
2020532781.tif 000006
2020532781.tif 000007
2020532781.tif 000008